(57)【特許請求の範囲】
【請求項１】
缶蓋パネルの周縁に沿って無端状に形成されたスコアと、該スコアに囲まれた前記パネル上に設けられ、該スコアを破断して該パネルを開口するタブとを備え、該タブは、前記パネルに形成されたリベットを介して該パネルに固定される固定部と、該固定部の前記スコアの一部に臨む先端部に設けられたタブノーズと、該タブノーズの反対側の後端部に形成され、前記パネルの略中央位置に形成された凹部に臨む指掛け部とを備えるフルオープン缶蓋において、
前記タブの指掛け部に、該指掛け部を前記固定部の上端面より下方に位置させるべく前記固定部の後端側から前記凹部内に向かって屈曲させた屈曲部を設け、前記パネルのタブの先端部の下方に対向するスコアとリベットとの間を隆起させて形成され、前記タブノーズを押し上げ状態として前記指掛け部を凹部に圧接させる隆起部を設けたことを特徴とするフルオープン缶蓋。
【請求項２】
前記スコアは、前記タブの操作によって破断される破断スコアと、該破断スコアの内方全周に平行に設けられた補助スコアとによって構成され、
前記隆起部は該補助スコアと前記リベットとの間のパネルに設けられていることを特徴とする請求項１記載のフルオープン缶蓋。
【請求項３】
前記隆起部は、前記補助スコア側から該隆起部の頂部に向かって緩やかに隆起させる略球面状の先端を備える押し上げピンにより、パネルの下方から押し上げて形成されることを特徴とする請求項２記載のフルオープン缶蓋。
【請求項４】
前記屈曲部は、前記固定部の後端側から前記凹部内に向かって傾斜する第１傾斜部と、該第１傾斜部の終端から前記指掛け部の後端にかけて、該指掛け部の後端が前記固定部の上端面より下方に位置する状態で、前記凹部内から上方に離反する方向に傾斜する第２傾斜部とからなることを特徴とする請求項１乃至３の何れか１項記載のフルオープン缶蓋。
【請求項５】
前記凹部の、少なくとも前記指掛け部の後端に対向する位置に、該凹部の底面より下方に陥没して該指掛け部の下方に間隙を形成する陥没部を設けたことを特徴とする請求項１乃至４の何れか１項記載のフルオープン缶蓋。
【請求項６】
前記凹部に、前記指掛け部が前記固定部の上端面より下方に位置する状態で、凹部の底面と指掛け部との間に所定の間隙を形成すべく該指掛け部の両側に当接するディンプルを設けたことを特徴とする請求項１乃至４の何れか１項記載のフルオープン缶蓋。
【発明の詳細な説明】
【０００１】
【発明の属する技術分野】
本発明は、タブ操作によって缶蓋パネルの略全部を取り除いて開口させることができるフルオープン缶蓋に関する。
【０００２】
【従来の技術】
従来、この種のフルオープン缶蓋は、タブ操作によって缶蓋パネルの略全部を取り除いて容易に開口することができることから、魚肉や惣菜等の固形或いは半固形の食料を収容する缶体の天蓋として用いられている。
【０００３】
この種の缶体の製造工程を説明すれば、先ず、円筒状の缶胴の一端にフルオープン缶蓋である天蓋を巻締めて他端が開口状態の缶容器を形成する。次いで、天蓋を下方に位置させて天地反転させた状態の該缶容器に、前述した食料等の内容物を充填する。内容物は比較的高い温度で缶容器に充填される。続いて、缶容器の開口側に底蓋を巻締めて密封する。
【０００４】
このようにして製造された缶体は、内容物が比較的高い温度で充填されるため缶体内部に陽圧が生じ、天蓋及び底蓋が半球状に膨出する。そしてこのときの天蓋（フルオープン缶蓋）の膨出に伴って、天蓋に取り付けられているタブの一部が外方に突出することがある。
【０００５】
即ち、この種のフルオープン缶蓋のタブは、缶蓋パネルの周縁に沿って形成されたスコアに囲まれたパネル上に取り付けられている。該タブは、先端部のタブノーズがスコアの一部に臨み、後端部に形成されたリング状の指掛け部がパネルの略中央部分に位置するように、リベットを介してパネル上に固定されている。該リベットは、パネルの略中央部と該パネルの端縁との間に位置している。
【０００６】
このため、前述したようにパネルが半球状に膨出すると、膨出したことによって傾斜するパネルの上面に沿ってリベットがパネル中央に向かって傾斜状態となり、しかも、膨出時に頂部となるパネルの略中央部にタブの指掛け部が位置しているため、指掛け部が缶体の上方に突出した状態となる。そして、指掛け部が缶体の上方に突出していると、例えば、底蓋を巻締めた後に前記缶体を搬送する際に他部に接触して、円滑な搬送が行えないといった不都合がある。
【０００７】
そこで、米国特許第３８６３８０１号公報に見られるように、タブの後半部を下方に屈曲させて指掛け部の高さをリベットの頂部より下方に位置させておくことにより、パネルが半球状に膨出したときに指掛け部の突出量を小とすることができる。
【０００８】
しかし、近年、材料コストの削減等のために缶蓋の薄肉化が進められているために、パネルが比較的大きく膨出変形し易く、タブの後半部を下方に屈曲させただけでは指掛け部の突出を防止することができない不都合がある。
【０００９】
また、缶体が外気に冷やされると、内部に負圧が生じて缶蓋パネルが凹状に没入変形する。この場合に、前述したようにタブの後半部を下方に屈曲させておくと、指掛け部がパネル上面に近接或いは密着して指が掛け難くなり缶体開口時のタブ操作が困難となる不都合がある。
【００１０】
【発明が解決しようとする課題】
かかる不都合を解消して、本発明は、缶蓋パネルの膨出時にタブの指掛け部の突出を防止することができ、また、缶蓋パネルの没入変形時にタブの指掛け部への指掛けを容易に行うことができるフルオープン缶蓋を提供することを目的とする。
【００１１】
【課題を解決するための手段】
かかる目的を達成するために、本発明は、缶蓋パネルの周縁に沿って無端状に形成されたスコアと、該スコアに囲まれた前記パネル上に設けられ、該スコアを破断して該パネルを開口するタブとを備え、該タブは、前記パネルに形成されたリベットを介して該パネルに固定される固定部と、該固定部の前記スコアの一部に臨む先端部に設けられたタブノーズと、該タブノーズの反対側の後端部に形成され、前記パネルの略中央位置に形成された凹部に臨む指掛け部とを備えるフルオープン缶蓋において、前記タブの指掛け部に、該指掛け部を前記固定部の上端面より下方に位置させるべく前記固定部の後端側から前記凹部内に向かって屈曲させた屈曲部を設け、前記パネルのタブの先端部の下方に対向するスコアとリベットとの間を隆起させて形成され、前記タブノーズを押し上げ状態として前記指掛け部を凹部に圧接させる隆起部を設けたことを特徴とする。
【００１２】
本発明によれば、タブの指掛け部に前記屈曲部を設けることによって、指掛け部を前記パネルの上面にできるだけ近接させるようにする。これにより、パネルが半球状に膨出するようなことがあっても、指掛け部のパネルの上面からの離反を小とすることができる。
【００１３】
そして更に、本発明においては、前記隆起部を設けてタブノーズ側を押し上げ状態とすることによって、指掛け部側を前記パネルの上面に圧接させる。これにより、パネルが比較的大きく膨出しても、前記屈曲部の前記作用に加えて隆起部によって指掛け部のパネルの上面からの離反が抑制され、パネルの上部に指掛け部が突出することを確実に防止することができる。
【００１４】
また、本発明において、前記スコアは、前記タブの操作によって破断される破断スコアと、該破断スコアの内方全周に平行に設けられた補助スコアとによって構成され、前記隆起部は該補助スコアと前記リベットとの間のパネルに設けられていることを特徴とする。
【００１５】
前記補助スコアは、一般に、破断スコアを形成する際に生じる余肉を吸収するために設けられるが、本発明においては、該補助スコアと前記リベットとの間のパネルに前記隆起部を設けたことにより、該隆起部を形成する際の変形が破断スコアに波及することがなく、破断スコアの不用意な破断を防止して、しかも、十分にタブノーズ側を押し上げ状態とすることができる。
【００１６】
このとき、前記隆起部は、前記補助スコア側から該隆起部の頂部に向かって緩やかに隆起させる略球面状の先端を備える押し上げピンにより、パネルの下方から押し上げて形成されることを特徴とする。
【００１７】
前記押し上げピンの先端が略球面状に形成されていることによって、前記隆起部を比較的緩やかに隆起させることができ、該隆起部を形成する際の急激な変形が防止できるので、前記補助スコアの不用意な破断を防止することができる。
【００１８】
また、本発明において、前記屈曲部は、前記固定部の後端側から前記凹部内に向かって傾斜する第１傾斜部と、該第１傾斜部の終端から前記指掛け部の後端にかけて、該指掛け部の後端が前記固定部の上端面より下方に位置する状態で、前記凹部内から上方に離反する方向に傾斜する第２傾斜部とからなることを特徴とする。
【００１９】
本発明によれば、前記屈曲部の第１傾斜部により、指掛け部を前記パネルの上面にできるだけ近接させ、且つ、前記屈曲部の第２傾斜部により、指掛け部の後端と前記パネルの凹部の底面との間に隙間を形成する。これにより、前述したようにパネルが膨出したときに、指掛け部のパネルの上面からの離反を防止すると共に、それとは逆にパネルが没入変形するようなことがあっても、指掛け部の後端とパネルの上面（凹部の底面）との間に隙間が形成されるので、指掛け部への指掛けを容易に行うことができる。そして更に、第２傾斜部は、指掛け部の後端が前記固定部の上端面より下方に位置するように設けられるので、パネルが膨出したときの指掛け部の後端の突出を防止することができる。
【００２０】
また、本発明において、前記凹部の、少なくとも前記指掛け部の後端に対向する位置に、該凹部の底面より下方に陥没して該指掛け部の下方に間隙を形成する陥没部を設けたことを特徴とする。
【００２１】
これによっても、指掛け部の後端の下方に前記陥没部が位置して十分な隙間を形成することができ、指掛け部への指掛けを容易に行うことができる。
【００２２】
また、本発明において、前記凹部に、前記指掛け部が前記固定部の上端面より下方に位置する状態で、凹部の底面と指掛け部との間に所定の間隙を形成すべく該指掛け部の両側に当接するディンプルを設けたことを特徴とする。
【００２３】
本発明によれば、前記隆起部を設けたことにより指掛け部がパネルに圧接するように構成されていても、該ディンプルによって指掛け部の両側が支持されるので、前記パネルの凹部の底面と指掛け部との間に所定の間隙を形成しておくことができる。しかも、指掛け部が該ディンプルに当接されていることによって、パネルが没入変形した場合にも、指掛け部とパネル上面との間に十分な隙間を形成しておくことができ、指掛け部への指掛けを極めて容易に行うことができる。
【００２４】
【発明の実施の形態】
本発明の一実施形態を図面に基づいて説明する。図１は本実施形態のフルオープン缶蓋の平面図、図２は図１のII−II線断面図、図３は図２の要部を拡大して示す説明図である。
【００２５】
本実施形態のフルオープン缶蓋１は、図１に示すように、缶胴に巻締められる巻締カール部２と、該巻締カール部２に包囲された内方に板状に形成された缶蓋バネル３と、該パネル３上に取り付けられたタブ４とによって構成されている。
【００２６】
前記パネル３は、その外周に沿って刻設された開口用スコア５と、該開口用スコア５の内方の大略中央部を凹入して形成された略半円状の凹部６と、該凹部６の一側と開口用スコア５との間のパネル３上に突出して前記タブ４を連結するリベット７とを備えている。
【００２７】
前記開口用スコア５は、開口時に破断される破断スコア８と、該破断スコア８の内方に沿って平行に設けられた補助スコア９とによって構成されている。該補助スコア９は、前記破断スコア８をＶ溝状に彫り込み形成した際に生じる余肉を吸収するために設けられ、開口時における破断を目的とするものではないので、前記破断スコア８よりも浅いＶ溝状に彫られている。
【００２８】
なお、前記パネル３のリベット７近傍において前記開口用スコア５の反対側には、前記開口用スコア５と不連続に並設された破断開始用スコア１０が形成されている。該破断開始用スコア１０は、前記開口用スコア５と同様に、互いに平行する破断スコア１１と補助スコア１２とによって構成されている。該破断開始用スコア１０は、開口作業を行う際に前記タブ４が操作されたときに前記開口用スコア５より先に破断されるものである。
【００２９】
前記タブ４は、前記リベット７により連結固定される固定部１３と、該固定部１３の先端側に突出して前記開口用スコア５の破断スコア８に臨むタブノーズ１４と、該タブノーズ１４の反対側の略後半部に形成されたリング状の指掛け部１５とを備えている。該タブ４を操作して前記開口用スコア５を破断する場合には、指掛け部１５に指を掛けて、リベット７を介して該タブ４を起立方向に引き上げる。これにより前記破断開始用スコア１０が破断されてタブノーズ１４が比較的大きく開口用スコア５の破断スコア８を押し込み、該開口用スコア５の初期破断が行われる。その後指掛け部１５を上方に引き上げて該開口用スコア５全周を破断すれば、パネル３を取り除いて開口することができる。
【００３０】
該指掛け部１５は、図２に示すように、前記固定部１３の後端側から前記凹部６内に向かって屈曲させた屈曲部１６を有している。該屈曲部１６は、固定部１３側から次第に下降して凹部６内に向かう第１傾斜部１７と、該第１傾斜部１７の終端から該指掛け部１５の後端にかけて次第に上昇して凹部６の底面から離反する第２傾斜部１８とによって構成されている。該第２傾斜部１８を設けることによって、凹部６の底面と指掛け部１５の後端との間に隙間が形成され、開口時にタブ４を操作する際の指掛けが容易となる。なお、該第２傾斜部１８は、指掛け部１５の後端が前記固定部１３の上面より下方に位置するように形成されている。これにより、指掛け部１５の後端が不要にパネル３上から突出することを防止している。
【００３１】
そして、図３に示すように、前記開口用スコア５の補助スコア９とリベット７との間のパネル３には、タブ４の先端部を押し上げた状態に維持する隆起部１９が形成されている。該隆起部１９は、図３中仮想線示するように、パネル３の下面に当接されるダイ２０に挿着された押し上げピン２１によって押し上げ成形される。該押し上げピン２１は、その先端が緩やかに湾曲する球面状に形成されている。これにより、該押し上げピン２１によるパネル３の押し上げ時に急激に変形させることなく隆起部１９を形成することができるので、隆起部１９の形成時に開口用スコア５の補助スコア９の破断を防止することができる。
【００３２】
このように該隆起部１９を形成したときには、図３に示すように、タブ４のタブノーズ１４側が隆起部１９に押し上げられた状態となると共に、リベット７がパネル３の中央に向かって下降する方向に僅かに傾斜する。これにより、リベット７に固定された固定部１３を介して指掛け部１５側が下方に押し下げられた状態となる。
【００３３】
そして、該隆起部１９を設けたことによって、パネル３が半球状に膨出するようなことがあっても、タブ４の指掛け部１５がパネル３から離反してパネル３上部に突出することを確実に防止することができる。
【００３４】
また、図２に示すように、前記パネル３の凹部６には、前記タブ４の指掛け部１５の後端が臨む位置に該凹部６よりも更に深く凹入された陥没部２２と、前記タブ４の指掛け部１５の両側に当接するように隆起された一対のディンプル２３とが形成されている。なお、本実施形態においては、両ディンプル２３の互いに対向する側面（斜面）を指掛け部１５の両側に当接させているが、これに限るものではなく、図示しないが、両ディンプル２３の突出量を図２示のものよりも小として指掛け部１５の両側の下面を当接させるようにしてもよい。
【００３５】
前記陥没部２２によってタブ４の前記第２傾斜部１８の傾斜を大とすることなく、指掛け部１５の後端に一層広い隙間を形成することができ、指掛け性を向上させることができる。更に、前記ディンプル２３を設けたことによって、該ディンプル２３に指掛け部１５が支持され、前記隆起部１９によって指掛け部１５がパネル３に向かって押しつけられた状態にあっても、指掛け部１５の後端とパネル３上面との間に十分な隙間を形成することができる。更に、パネル３が没入変形するようなことがあっても、前記タブ４に形成された第２傾斜部１８と、パネル３に形成された前記陥没部２２と、前記ディンプル２３とによって、指掛け部１５の後端とパネル３の上面との間に隙間が形成された状態を確実に維持することができる。
【図面の簡単な説明】
【図１】本発明の一実施形態のフルオープン缶蓋の平面図。
【図２】図１のII−II線断面図。
【図３】図２の要部を拡大して示す説明図。
【符号の説明】
１…フルオープン缶蓋、３…缶蓋パネル、４…タブ、５…開口用スコア（スコア）、６…凹部、７…リベット、８…破断スコア、９…補助スコア、１４…タブノーズ、１５…指掛け部、１６…屈曲部、１７…第１傾斜部、１８…第２傾斜部、１９…隆起部、２１…押し上げピン、２２…陥没部、２３…ディンプル。
【図１】
0004208308.tif 000002
【図２】
0004208308.tif 000003
【図３】
0004208308.tif 000004